(57)【要約】【課題】光ディスクの印刷面が外側から見ることができる構成をし、回転している光ディスクに光を照射して光ディスクの印刷面に印刷された文字、イラスト及び模様等を表示することができる光ディスク装置において、ユーザから見て文字等が見にくい位置に静止して表示されることがあった。そのため、光の照射タイミングを変えるための手動による調節が必要であった。【解決手段】搬送部が光ディスクを搬送したことを搬送検出部が検出したとき、制御部は、カウント部がパルス信号発生部から入力されたパルス信号のパルス数をカウントしたカウント数を初期値に設定する制御をする。【選択図】　図１
2004022111.tif 000002
【特許請求の範囲】
【請求項１】
印刷面を有する光ディスクを装着し回転する回転部を有し光ディスクに記録されたデータを再生する再生部と光ディスクを前記回転部へ搬送する搬送部を備えると共に光ディスクを装着したときに印刷面が外から見ることができる構成の光ディスク再生装置において、
光ディスクの印刷面に光を照射する照射部と、前記回転部が１回転毎に予め定めた数のパルス信号を発生するパルス信号発生部と、前記パルス信号をカウントし光ディスクが１回転する毎に１回転カウント信号を発生するカウント部と、前記１回転カウント信号に同期して前記照射部に光を照射させる発光信号を発生する発振部と、前記搬送部の搬送動作を検出する搬送検出部と、前記搬送検出部が光ディスクを前記回転部へ搬送したことを前記搬送検出部が検出したとき前記カウント部によるパルス信号のカウント数を初期値に設定する制御をする制御部とを備えることを特徴とする光ディスク再生装置。
【請求項２】
印刷面を有する光ディスクを装着し回転する回転部を有し光ディスクに記録されたデータを再生する再生部と光ディスクを前記回転部へ搬送する搬送部を備えると共に光ディスクを装着したときに印刷面が外から見ることができる構成の光ディスク再生装置において、
光ディスクの印刷面に光を照射する照射部と、前記回転部が１回転毎に予め定めた数のパルス信号を発生するパルス信号発生部と、前記パルス信号をカウントし光ディスクが１回転する毎に１回転カウント信号を発生するカウント部と、前記１回転カウント信号に同期して前記照射部に光を照射させる発光信号を発生する発振部と、光ディスクの着脱を検出する着脱検出部と、前記着脱検出部が前記回転部に光ディスクが装着されたこと又は取外されたことを検出したとき前記カウント部によるパルス信号のカウント数を初期値に設定する制御をする制御部とを備えることを特徴とする光ディスク再生装置。
【発明の詳細な説明】
【０００１】
【発明の属する技術分野】
本発明は、例えば、ＣＤ（Ｃｏｍｐａｃｔ　Ｄｉｓｃ）に記録されたデータを再生するＣＤプレーヤまたはＤＶＤ（Ｄｉｇｉｔａｌ　Ｖｅｒｓａｔｉｌｅ　Ｄｉｓｃ）に記録されたデータを再生するＤＶＤプレーヤ等の光ディスク再生装置に関する。
【０００２】
【従来の技術】
ＣＤに記録されたデータを再生するＣＤプレーヤ及びＤＶＤに記録されたデータを再生するＤＶＤプレーヤが普及している。ＣＤ及びＤＶＤには、レーザ光入射面と印刷面がある。レーザ光入射面は、ＣＤプレーヤ及びＤＶＤプレーヤが備える光ピックアップからのレーザ光が入射される面である。印刷面は、光ディスクのディスクネームやアーティストネームなどＣＤ及びＤＶＤに記録されているデータに関係する情報、イラストまたは模様などが印刷されている面である。
【０００３】
従来、再生装置のターンテーブルにＣＤを装着したとき、このＣＤの印刷面が外側から見ることができるような構成をしたＣＤプレーヤがある。このようなＣＤプレーヤにおいては、ＣＤプレーヤにＣＤを装着した状態で、印刷面に印刷されている表示から、ユーザがＣＤに記録されているデータの内容やＣＤの種類を確認することができる。また、ＣＤの印刷面を外側から見ることができ、かつ、ターンテーブルが垂直若しくは斜めに傾いた構造をしたＣＤプレーヤもある。このＣＤプレーヤにおいては、ＣＤの再生時にＣＤが回転している様子を外側から見ることができる。
【０００４】
さらに、ＣＤが回転している最中でも、印刷面に印刷された文字等の表示を外側から視認することができるＣＤプレーヤが特開平６−３４２５５２号公報に開示されている。特開平６−３４２５５２号公報に開示されているＣＤプレーヤは、ＣＤの回転状態を検出しＣＤが１回転する毎にＣＤの印刷面に光を照射することにより、印刷面に印刷されている文字等を静止したように表示することができる。
【０００５】
このようなＣＤプレーヤでは、ＣＤの回転状態を検出するために、検出部、カウント部及び照射部を備えている。検出部は、ＣＤを回転させるスピンドルモータの回転数を検出しパルス信号を発生する。カウント部は、検出部が発生するパルス信号をカウントし、ＣＤが１回転する毎に１回転カウント信号を出力する。照射部は、１回転カウント信号が入力する毎に、ＣＤの印刷面に光を照射する。
【０００６】
【発明が解決しようとする課題】
例えば、検出部がＣＤの１回転毎に、６パルスのパルス信号を発生し、カウント部が６パルスのパルス信号毎に１回転カウント信号を出力し、照射部がＣＤの印刷面に光を照射する構成のＣＤプレーヤにおいて、ＣＤの回転を停止（ＣＤの再生を停止）したとき、カウント部が３パルス目までのパルス信号をカウントしたところで、ＣＤの回転が停止することがある。この場合において、ＣＤを交換し、交換したＣＤの再生を開始すると、カウント部は、既に３パルスのパルス信号をカウントしているので、再生を開始してから、３パルスのパルス信号をカウントしたときに、カウント部が１回転カウント信号を出力し、照射部がＣＤの印刷面に光を照射する。つまり、ＣＤをターンテーブルに装着した位置から半回転した位置で、光を照射するタイミングとなる。したがって、光の照射タイミングが前回のＣＤの再生停止位置に依存するため、ユーザは、どの向きでターンテーブルにＣＤを装着すれば、印刷面に印刷されている文字等が見やすい位置になるかを特定できないという問題がある。
【０００７】
また、特開平６−３４２５５２号公報に開示されているＣＤプレーヤは、ユーザから見て文字等が見やすい位置に静止したように表示させるために、ユーザが手動で光の照射タイミングを調節することができる。しかし、このＣＤプレーヤでは、ユーザから見て文字等を見やすい位置に表示させるために、ユーザが何度も手動で光の照射タイミングを調節しなければならない。また、特開平６−３４２５５２号公報の図２に示されているような光の照射タイミングを変えるための回路が必要となり、光ディスク装置の製造コストが高くなるという問題がある。
【０００８】
本発明は、上記の課題を解決するためになされたものであり、ユーザが手動で光の照射タイミングを調節することなく、光ディスクの印刷面に印刷された文字、イラストまたは模様等が光ディスクをターンテーブルに装着した状態で静止したように表示することができる光ディスク再生装置を提供することを目的とする。
【０００９】
【課題を解決するための手段】
上記の課題を解決するために、本願の請求項１記載の発明は、印刷面を有する光ディスクを装着し回転する回転部を有し光ディスクに記録されたデータを再生する再生部と光ディスクを前記回転部へ搬送する搬送部を備えると共に光ディスクを装着したときに印刷面が外から見ることができる構成の光ディスク再生装置において、光ディスクの印刷面に光を照射する照射部と、前記回転部が１回転毎に予め定めた数のパルス信号を発生するパルス信号発生部と、前記パルス信号をカウントし光ディスクが１回転する毎に１回転カウント信号を発生するカウント部と、前記１回転カウント信号に同期して前記照射部に光を照射させる発光信号を発生する発振部と、前記搬送部の搬送動作を検出する搬送検出部と、前記搬送検出部が光ディスクを前記回転部へ搬送したことを前記搬送検出部が検出したとき前記カウント部によるパルス信号のカウント数を初期値に設定する制御をする制御部とを備えることを特徴とする。
【００１０】
また、本願の請求項２記載の発明は、印刷面を有する光ディスクを装着し回転する回転部を有し光ディスクに記録されたデータを再生する再生部と光ディスクを前記回転部へ搬送する搬送部を備えると共に光ディスクを装着したときに印刷面が外から見ることができる構成の光ディスク再生装置において、光ディスクの印刷面に光を照射する照射部と、前記回転部が１回転毎に予め定めた数のパルス信号を発生するパルス信号発生部と、前記パルス信号をカウントし光ディスクが１回転する毎に１回転カウント信号を発生するカウント部と、前記１回転カウント信号に同期して前記照射部に光を照射させる発光信号を発生する発振部と、光ディスクの着脱を検出する着脱検出部と、前記着脱検出部が前記回転部に光ディスクが装着されたこと又は取外されたことを検出したとき前記カウント部によるパルス信号のカウント数を初期値に設定する制御をする制御部とを備えることを特徴とする。
【００１１】
【発明の実施の形態】
以下、本発明の実施の形態を図面に基づいて説明する。
図１は、本発明の一実施例であるＣＤプレーヤの構成を示すブロック図である。
【００１２】
図１において、１はスピンドルモータ、２はサーボ制御部、３は光ピックアップ、４は再生アンプ、５は信号処理部、６はデジタルアナログ変換器（ＤＡＣ：　Ｄｉｇｉｔａｌ　ｔｏ　Ａｎａｌｏｇ　Ｃｏｎｖｅｒｔｅｒ）、７はアンプ、８は出力部、９は操作部、１０は制御部、１１は表示部、１２はパルス信号発生部、１３はカウント部、１４は発振部、１５は発光駆動部、１６は照射部、１７は搬送検出部を示す。図２は、パルス信号発生部１２、カウント部１３及び発振部１４から出力されるパルス信号、１回転カウント信号及び発光信号を示す図である。
【００１３】
ＣＤをターンテーブルに装着し、操作部９から再生開始の指示により、サーボ制御部２は、スピンドルモータ１を所定の線速度で回転駆動させる制御をする。また、サーボ制御部２は、光ピックアップ３からのレーザ光をＣＤのレーザ光入射面を介して情報記録面に照射して、ＣＤのピット列を正しくトレースするために、図示しないフォーカスサーボ回路及びトラッキングサーボ回路を制御する。
【００１４】
光ピックアップ３が再生したデジタルオーディオデータは、再生アンプ４により波形整形及び増幅されて信号処理部５に入力される。信号処理部５は、デジタルオーディオデータの復調、フォーカスエラー信号やトラッキングエラー信号等のエラー信号、同期信号の抜き出し等してＤＡＣ６に入力する。ＤＡＣ６は、デジタルオーディオデータをアナログオーディオ信号に変換してアンプ７に入力する。ＤＡＣ６から入力されたアナログオーディオ信号は、アンプ７により増幅され、出力部８に接続したスピーカ等から出力される。
【００１５】
操作部９は、再生ボタン、再生停止ボタン、早送りボタン、早戻しボタン等を備えている。また、表示部１１は、現在再生しているトラックの再生時間、トラックナンバー等を表示する。
【００１６】
また、ＣＤを装着するターンテーブルへＣＤを搬送するための図示しない搬送部を備えている。例えば、ＣＤプレーヤの筐体に設けられた挿入口からＣＤを挿入することにより、挿入されたＣＤをターンテーブルへ搬送する搬送部、光ディスクを載置するトレイをターンテーブルへ搬送する搬送部、複数のＣＤを収納する収納部からＣＤを取り出し、ターンテーブルへ搬送する搬送部等がある。搬送検出部１７は、トレイにＣＤを載置したことを検出又は搬送部の搬送動作の完了を検出して、制御部１０に検出信号を入力する。制御部１０は、検出信号が入力されると、後述するカウント部１３に対し、カウント数を初期値に設定する制御をする。
【００１７】
本発明の一実施例であるＣＤプレーヤにおいて、ＣＤの回転状態を検出する動作について説明する。
【００１８】
操作部９の再生ボタンが押圧され、ＣＤに記録されたオーディオデータの再生を開始した場合、パルス信号発生部１２は、光センサを備えており、光センサがスピンドルモータ１の回転を検出すると、スピンドルモータ１が１回転する毎に予め定めた数のパルス信号を発生しカウント部１３に入力する。図２（ａ）に示すように、パルス信号発生部１２は、スピンドルモータ１の回転を検出して、スピンドルモータ１が１回転する毎にｎ個のパルスからなるパルス信号を発生する。
【００１９】
カウント部１３は、パルス信号発生部１２から入力されたパルス信号のパルス数をカウントし、カウント数がｎになる毎にカウント信号を発生して発振部１４に入力する。図２（ｂ）に示すように、カウント部１３は、ｎ個のパルス毎に１回転カウント信号を発生する。
【００２０】
発振部１４は、カウント部１３から入力されたカウント信号に同期して、発光信号を発生し発光駆動部１５に入力する。図２（ｃ）に示すように、発振部１４は、１回転カウント信号に同期して発光信号を発生する。
【００２１】
発光駆動部１５は、発振部１４から入力された発光信号に基づいて、電球や発光ダイオード等からなる照射部１６を駆動する。照射部１６は、発光信号が入力される毎に、ＣＤの印刷面に光を照射する。
【００２２】
操作部９の再生停止ボタンが押圧され、ＣＤに記録されたオーディオデータの再生が停止すると、パルス信号発生部１２は、パルス信号のカウント部１３への入力を停止する。カウント部１３は、入力したパルス信号のパルス数をカウントするので、パルス信号の入力がなくなると、パルス信号のパルス数のカウントを中断した状態となる。例えば、カウント部１３がｎ−３個（ｎ＞３）のパルス信号のパルス数をカウントした後、カウントを中断する状態となる。この状態では、カウント部１３は、発振部１４に１回転カウント信号を入力しない。
【００２３】
この状態から、搬送部がＣＤをターンテーブルからＣＤを交換する位置へ搬送し、別のＣＤをターンテーブルへ搬送したとき、搬送検出部１７は、制御部１０に検出信号を入力する。制御部１０は、検出信号が入力されるとカウント部１３に対し、パルス信号のカウント数を初期値とする、例えば、０とする制御をする。制御部１０は、検出信号が入力されると、カウント部１３にリセット信号を入力する。カウント部１３は、リセット信号が入力されると、例えば、カウント部１３がｎ−３個のパルス信号のパルス数をカウントしカウントを中断した状態から、カウント数を初期値にリセットする。そして、ＣＤの再生を開始すると、カウント部１３は、パルス信号発生部１２から入力されるパルス信号のパルス数を初期値からカウントを始める。
【００２４】
上述の実施形態では、搬送検出部１７により、搬送部がＣＤをターンテーブルに搬送したことを検出して、制御部１０がカウント部１３にリセット信号を入力するようにしたが、搬送検出部１７に代わり、ターンテーブルに着脱検出部を設け、着脱検出部がＣＤの着脱を検出して、制御部１０がカウント部１３にリセット信号を入力するようにしてもよい。図３は、本発明の一実施例であるＣＤプレーヤのターンテーブルに設けられた着脱検出部を示す図である。図３において、ＣＤをターンテーブル１８に装着した場合、着脱検出部１９は、ＣＤにより押圧される。着脱検出部１９は、ＣＤにより押圧されている間、制御部１０に検出信号を入力する。ＣＤがターンテーブル１８から取り出されると、着脱検出部１９は、ＣＤによる押圧がなくなるので、制御部１０に検出信号の入力を停止する。制御部１０は、着脱検出部１９から検出信号が入力したとき又は検出信号の入力が停止したとき、カウント部１３にリセット信号を入力する。
【００２５】
上述の実施例によれば、本発明の一実施例であるＣＤプレーヤは、搬送検出部１７がＣＤをターンテーブルに搬送したこと検出したとき又は着脱検出部１９がＣＤのターンテーブルに対する着脱を検出したとき、制御部１０は、カウント部１３によりパルス信号のカウント数を初期値に設定する制御をした後、ＣＤに記録されたオーディオデータの再生を開始する制御をする。このため、ユーザがＣＤの印刷面に印刷された文字等が見やすい位置でＣＤをターンテーブル１８に装着すれば、その位置に対応したタイミングで照射部１６から光を照射することができる。したがって、本発明の一実施例であるＣＤプレーヤは、光の照射タイミングを調整することなく、ＣＤの印刷面に印刷された文字等を静止したように表示することができる。
【００２６】
【発明の効果】
本発明の光ディスク装置によれば、ユーザが手動で光の照射タイミングを調節することなく、光ディスクの印刷面に印刷された文字、イラストまたは模様等が光ディスクをターンテーブルに装着した状態で静止したように表示することができる光ディスク装置を提供することができる。
【図面の簡単な説明】
【図１】本発明の実施例であるＣＤプレーヤを示すブロック図。
【図２】パルス信号発生部１２、カウント部１３及び発振部１４から発生するパルス信号、１回転カウント信号及び発光信号を示す図。
【図３】本発明の実施例であるＣＤプレーヤのターンテーブルに設けられた着脱検出部を示す図。
【符号の説明】
１　　スピンドルモータ
２　　サーボ制御部
３　　光ピックアップ
４　　再生アンプ
５　　信号処理部
６　　ＤＡＣ
７　　アンプ
８　　出力部
９　　操作部
１０　　制御部
１１　　表示部
１２　　パルス信号発生部
１３　　カウント部
１４　　発振部
１５　　発光駆動部
１６　　照射部
１７　　搬送検出部
１８　　ターンテーブル
１９　　着脱検出部
２０　　回転軸
【図１】
2004022111.tif 000003
【図２】
2004022111.tif 000004
【図３】
2004022111.tif 000005